(57)【特許請求の範囲】
【請求項１】
記憶手段と制御手段と近接無線通信インターフェース部を備える非接触ＩＣ媒体であって、
前記記憶手段には共通アクセス情報、及び、ユーザーのＩＤパラメータを含む個別アクセス情報が記憶されており、前記共通アクセス情報と前記個別アクセス情報が異なる記憶領域に記憶されており、
該共通アクセス情報がＮＤＥＦレコードで記載されており、
共通アクセス情報を記憶するＮＤＥＦレコードは、個別アクセス情報を記憶した非接触ＩＣ媒体の個別アクセス情報記憶領域の記憶アドレスを記憶するデータ本体部分であるペイロードのデータ長さを表すデータを含み、
個別アクセス情報記憶領域の先頭のデータ領域（ヘッダ部分）には、データ本体であるペイロードのデータ長さを記録するデータを格納し、個別アクセス情報記憶領域のデータ本体（ペイロード）に、個別アクセス情報のデータを記憶されていることを特徴とする非接触ＩＣ媒体。
【請求項２】
携帯端末を用いた非接触ＩＣ媒体のデータの読み取り方法であって、
該非接触ＩＣ媒体は、記憶手段と制御手段と近接無線通信インターフェース部を備え、
前記記憶手段には共通アクセス情報、及び、ユーザーのＩＤパラメータを含む個別アクセス情報が記憶されており、前記共通アクセス情報と前記個別アクセス情報が異なる記憶領域に記憶されており、
該共通アクセス情報がＮＤＥＦレコードで記載されており、
共通アクセス情報を記憶するＮＤＥＦレコードは、個別アクセス情報を記憶した非接触ＩＣ媒体の個別アクセス情報記憶領域の記憶アドレスを記憶するデータ本体部分であるペイロードのデータ長さを表すデータを含み
個別アクセス情報記憶領域の先頭のデータ領域（ヘッダ部分）には、データ本体であるペイロードのデータ長さを記録するデータを格納し、個別アクセス情報記憶領域のデータ本体（ペイロード）に、個別アクセス情報のデータを記憶されており、
該携帯端末がＮＤＥＦレコードを読み取るアプリケーションプログラムを保有している場合は、該ＮＤＥＦレコードに記憶されている個別アクセス情報記憶領域の記憶アドレスを読み込み、
該携帯端末がＮＤＥＦレコードを読み取るアプリケーションプログラムを保有していない場合は、個別アクセス情報記憶領域を直接読み込むアプリケーションプログラムを動作させて個別アクセス情報記憶領域の記憶アドレスを読みだすことを特徴とするデータの読み取り方法。
【発明の詳細な説明】
【技術分野】
【０００１】
本発明は、ＮＦＣ（Near Field Communication）技術を用いた非接触ＩＣ媒体と、その非接触ＩＣ媒体の発行方法とデータの読み取り方法に関する。
【背景技術】
【０００２】
特許文献１等で開示されているように、ＲＦＩＤと呼ばれるＩＣタグやＩＣカード等の非接触ＩＣ媒体を利用した近接無線通信システムの利用範囲が拡大している。電磁誘導方式の近接無線通信システムとして１３．５６ＭＨｚの電波を使うＮＦＣ（Near Field Communication）規格の近接無線通信システムにより、１０ｃｍ程度のごく近距離での近接無線通信による双方向通信が可能である。
【０００３】
特許文献２や特許文献３のように、非接触ＩＣ媒体又は携帯端末装置の間でＮＦＣ規格の近接無線通信によって交換するデータの形式としてＮＤＥＦレコードを用いることができる。
【０００４】
そして、非接触ＩＣ媒体を利用した近接無線通信技術の応用として、ポスターに埋め込まれた非接触ＩＣ媒体のデータを携帯端末装置がＮＦＣ規格の近接無線通信で読み取って自動的にウェブサイトにアクセスするスマートポスターの技術が開発された。また、携帯端末通信装置間でＮＦＣ規格の近接無線通信でピア・トゥ・ピアで画像データを交換する等の技術も開発された。
【０００５】
スマートポスターでは、ポスターに埋め込んだ非接触ＩＣ媒体に携帯端末装置をタッチして（近接させて）ＮＦＣ規格の近接無線通信を行い、携帯端末装置が、非接触ＩＣ媒体へのタッチのみでＷｅｂサイトのアドレスを読み取って、そのＷｅｂサイトのページへアクセスして携帯端末装置の画面にＷｅｂサイトのページを表示させる。
【０００６】
また、特許文献２や特許文献３には、携帯端末装置がBluetooth（登録商標）やWi-Fiを利用することができるようにする初期設定を、操作者の手を煩わせずに、携帯端末装置が非接触ＩＣ媒体からＮＦＣ規格の近接無線通信で読取ったデータを利用して自動的に実行させるハンドオーバ処理の技術が開示されている。
【０００７】
これらスマートポスターやハンドオーバ処理の技術は、非接触ＩＣ媒体にＮＤＥＦレコード形式のデータを格納して利用できる。例えば特許文献３に開示されたハンドオーバ処理の技術では、非接触ＩＣ媒体に記憶させた複数のＮＤＥＦレコードを組み合わせてハンドオーバ処理を実行する。
【先行技術文献】
【特許文献】
【０００８】
【特許文献１】特開２００９−１４７４２３号公報
【特許文献２】特開２００９−２１２７３２号公報
【特許文献３】特開２０１０−２１３３３４号公報
【発明の概要】
【発明が解決しようとする課題】
【０００９】
接続するＷｅｂサイトには、接続者共通のＷｅｂサイトや個別のＩＤ毎のＷｅｂサイトがある。個別のＩＤ毎のＷｅｂサイト（特定ページ）に接続する場合、共通アクセス情報
と個別アクセス情報とを非接触ＩＣ媒体に記憶させる必要がある。
【００１０】
例えば、ＮＦＣ規格の近接無線通信の応用技術のために非接触ＩＣ媒体に記憶させるＮＤＥＦレコードは、すべての非接触ＩＣ媒体に共通したＮＤＥＦレコードのデータ（共通アクセス情報）と、非接触ＩＣ媒体ごとに異なる情報を持つＮＤＥＦレコードのデータ（個別アクセス情報）とを非接触ＩＣ媒体に記憶させる必要がある。
【００１１】
この場合に、非接触ＩＣ媒体毎に、データ長の異なる個別アクセス情報が記憶される場合がある。サービス提供者のサービスの種類によっては個別アクセス情報のデータの大きさがランダムに変わる。個別アクセス情報のデータの大きさが異なれば、ＮＤＥＦレコードのペイロードに記憶させるデータ本体のデータの長さを記述する、ペイロードの長さを表すデータについても、非接触ＩＣ媒体毎に異なった大きさのデータで記憶される場合もある。
【００１２】
それゆえ、非接触ＩＣ媒体を発行してサービスを提供する情報処理システムが非接触ＩＣ媒体のＮＤＥＦレコードのデータの変更状態を管理する際に、非接触ＩＣ媒体の発行時点でのＮＤＥＦレコードのデータとチェック時点でのＮＤＥＦレコードのデータの違いをチェック管理する為のデータの差分データが膨大になり、チェック管理に要する処理時間が大きくなってしまう問題があった。
【００１３】
また、非接触ＩＣ媒体においてＮＤＥＦレコードのペイロードに記録した個別アクセス情報のデータは、ＮＤＥＦレコードを読み取ることができる最新のデータ読み取り用アプリケーションプログラムを格納した携帯端末でなければ読み取ることができない。
【００１４】
この非接触ＩＣ媒体から、ＮＤＥＦレコードの規格に対応していない旧来のデータ読み取り用アプリケーションプログラムのみが格納された携帯端末装置でも、個別アクセス情報のデータを読み取れるようにする事が望ましい。しかし、そのためには、非接触ＩＣ媒体には、ＮＤＥＦレコードを記憶させるだけで無く、旧来のデータ読み取り用アプリケーションプログラムを格納した携帯端末装置でも読み取ることができるデータ形式のデータを記憶させる必要がある。すなわち、全く同じ個別アクセス情報のデータを重複して非接触ＩＣ媒体に記憶しなければならなかった。
【００１５】
このように、非接触ＩＣ媒体の個別アクセス情報は、ＮＤＥＦレコードを非接触ＩＣ媒体に記憶させた上で、その個別アクセス情報と全く同じ情報を、旧来のアプリケーションプログラムを格納した携帯端末装置でも読める旧来のデータ形式のデータで非接触ＩＣ媒体に記憶させなければならなかった。このため、非接触ＩＣ媒体に同じ情報が重複して記憶される記憶領域の無駄使いがある問題があった。
【００１６】
また、非接触ＩＣ媒体を発行する情報処理システム側においても、そのように、同じ個別アクセス情報を非接触ＩＣ媒体に重複して書き込む必要があることと、また、その書き込んだデータを読み取りチェックする処理も重複して必要になる、更に、非接触ＩＣ媒体を登録するために、非接触ＩＣ媒体の重複したデータを記憶手段で記憶する必要がある。そのため、非接触ＩＣ媒体を発行する情報処理システム側にも、処理時間の無駄使いや、非接触ＩＣ媒体を登録して記憶する記憶容量の無駄使いがあるという問題があった。
【００１７】
そのため、本発明の課題は、近接無線通信で非接触ＩＣ媒体と携帯端末装置の間で交換するデータの非接触ＩＣ媒体の記憶領域を効率的に利用し、非接触ＩＣ媒体の発行時の処理の効率を向上させることにある。
【課題を解決するための手段】
【００１８】
本発明は、以上の課題を解決するために、記憶手段と制御手段と近接無線通信インターフェース部を備える非接触ＩＣ媒体であって、前記記憶手段には共通アクセス情報、及び、ユーザーのＩＤパラメータを含む個別アクセス情報が記憶されており、前記共通アクセス情報と前記個別アクセス情報が異なる記憶領域に記憶されていることを特徴とする非接触ＩＣ媒体である。
【００１９】
本発明は、これにより、ユーザーの携帯端末装置が非接触ＩＣ媒体の共通アクセス情報を記録したＮＤＥＦレコード読み取り用のアプリケーションプログラムを持たなくても非接触ＩＣ媒体の個別アクセス情報を読み取ることができ、かつ、非接触ＩＣ媒体の記憶領域の無駄使いを発生させない効果がある。
【００２０】
また、本発明は、上記の非接触ＩＣ媒体であって、前記近接無線通信インターフェース部がＮＦＣ規格の近接無線通信インターフェース部であり、前記共通アクセス情報がＮＤＥＦレコードで記載されていることを特徴とする非接触ＩＣ媒体である。
【００２１】
また、本発明は、上記の非接触ＩＣ媒体の発行方法であって、
前記非接触ＩＣ媒体のユーザー情報と前記共通アクセス情報と前記個別アクセス情報を登録するアプリケーションサーバーと、前記非接触ＩＣ媒体に前記共通アクセス情報と前記個別アクセス情報を書き込んで非接触ＩＣ媒体を発行する非接触ＩＣ媒体発行装置を用い、
前記アプリケーションサーバーが行う処理が、前記共通アクセス情報を登録する処理と、前記ユーザー情報を記録した前記個別アクセス情報を登録する処理を含み、
前記非接触ＩＣ媒体発行装置が行う処理が、前記非接触ＩＣ媒体に前記アプリケーションサーバーに登録された前記共通アクセス情報と前記個別アクセス情報のデータを書き込んで前記非接触ＩＣ媒体を発行する処理を含むことを特徴とする非接触ＩＣ媒体の発行方法である。
【００２２】
また、本発明は、上記の非接触ＩＣ媒体のデータの読み取り方法であって、
前記非接触ＩＣ媒体のユーザー情報と前記共通アクセス情報と前記個別アクセス情報を登録したアプリケーションサーバーを用い、
ユーザーの携帯端末装置が行う処理が、前記共通アクセス情報のリストを受信する処理と、
前記携帯端末装置が近接無線通信を介して前記非接触ＩＣ媒体から共通アクセス情報を受信する処理と、
該共通アクセス情報と、前記携帯端末装置が前記アプリケーションサーバーから受信した前記共通アクセス情報のリストを照合する処理と、
前記携帯端末装置が近接無線通信を介して前記非接触ＩＣ媒体から前記個別アクセス情報を受信する処理を含むことを特徴とする非接触ＩＣ媒体のデータの読み取り方法である。
【００２３】
また、本発明は、上記の非接触ＩＣ媒体のデータの読み取り方法であって、
ユーザーの携帯端末装置が近接無線通信を介して前記非接触ＩＣ媒体から前記共通アクセス情報及び個別アクセス情報のデータを受信する処理と、
前記携帯端末装置が、前記共通アクセス情報からＷｅｂサイトのページのアドレスを抽出する処理と、
前記携帯端末装置が、該Ｗｅｂサイトのページのアドレスと個別アクセス情報からＷｅｂサイトの特定ページにアクセスする処理を含むことを特徴とする非接触ＩＣ媒体のデータの読み取り方法である。
【発明の効果】
【００２４】
本発明によれば、非接触ＩＣ媒体に、ユーザーに依存しては変わらない共通アクセス情
報と個別アクセス情報を、非接触ＩＣ媒体の個別アクセス情報記憶領域に記憶させる。
【００２５】
そのため、非接触ＩＣ媒体を発行してユーザーにサービスを提供するアプリケーションサーバーが、個別アクセス情報のみのデータの変更状態を管理するだけで良くなり、アプリケーションサーバーのデータのチェック管理の処理時間を少なくできる効果がある。
【００２６】
また、ＮＦＣ規格の近接無線通信インターフェース部を用いる場合、ユーザーの携帯端末装置に非接触ＩＣ媒体のＮＤＥＦレコード読み取り用のアプリケーションプログラムが無くても、携帯端末装置が非接触ＩＣ媒体の個別アクセス情報記憶領域から個別アクセス情報のデータを読み取ることができる効果がある。
【００２７】
さらに、非接触ＩＣ媒体には、個別アクセス情報のデータを重複させて記憶させる必要が無くなり、非接触ＩＣ媒体の記憶領域の無駄使いを無くすことができる効果がある。
【図面の簡単な説明】
【００２８】
【図１】本発明の実施形態の非接触ＩＣ媒体を利用する情報処理システムを示す図である。
【図２】本発明の実施形態の非接触ＩＣ媒体の構成を示すブロック図である。
【図３】本発明の実施形態の非接触ＩＣ媒体が記憶するデータのデータ構造を示す図である。
【図４】本発明の実施形態の変形例１の非接触ＩＣ媒体の構成を示すブロック図である。
【図５】本発明の第１の実施形態の非接触ＩＣ媒体を発行するアプリケーションサーバーの処理手順を示すフローチャートである。
【図６】本発明の第１の実施形態の非接触ＩＣ媒体の発行処理における情報処理システムの装置間の信号処理の手順を示すフローチャートである。
【図７】本発明の第１の実施形態の非接触ＩＣ媒体を読み取ってサービスを受けるユーザーの携帯端末装置の処理手順を示すフローチャート（その１）である。
【図８】本発明の第１の実施形態の非接触ＩＣ媒体を読み取ってサービスを受けるユーザーの携帯端末装置の処理手順を示すフローチャート（その２）である。
【図９】本発明の第１の実施形態の非接触ＩＣ媒体を用いたサービスを提供する情報処理システムの装置間の信号処理の手順を示すフローチャートである。
【発明を実施するための形態】
【００２９】
（システム構成）
以下、図面を参照しながら、本発明の実施形態について説明する。図１に示すように、本発明は、通信ネットワーク１００に接続した、非接触ＩＣ媒体発行装置２００と、アプリケーションサーバー３００と、携帯端末装置２０と、非接触ＩＣ媒体１０とを含んだ情報処理システムを用いる。
【００３０】
（非接触ＩＣ媒体発行装置）
非接触ＩＣ媒体発行装置２００は、非接触ＩＣ媒体１０を保管し管理する手段を有する。そして、非接触ＩＣ媒体発行装置２００は、アプリケーションサーバー３００に登録されたユーザーの非接触ＩＣ媒体１０の発行用データを用いて、保管している非接触ＩＣ媒体１０に必要なデータを書き込んで非接触ＩＣ媒体１０を発行する。
【００３１】
非接触ＩＣ媒体発行装置２００は、リーダ／ライタ２１０を介したＮＦＣ規格の近接無線通信を用いて、非接触ＩＣ媒体１０とデータを交換する。
【００３２】
（アプリケーションサーバー）
アプリケーションサーバー３００は、非接触ＩＣ媒体１０の発行を依頼したユーザーの
ユーザー情報を登録する。そして、そのユーザーに対して発行した非接触ＩＣ媒体１０のデータを、非接触ＩＣ媒体１０からＮＦＣ規格の近接無線通信によりユーザーの携帯端末装置２０が受信する。
【００３３】
そして、アプリケーションサーバー３００は、その携帯端末装置２０から非接触ＩＣ媒体１０のデータを、通信ネットワーク１００を介して受信してユーザーを認証し、そのユーザーの携帯端末装置２０に必要なサービスを提供する。
【００３４】
例えば、アプリケーションサーバー３００は、通信ネットワーク１００を介して、携帯端末装置２０のＷｅｂサイト表示プログラムにＷｅｂサイトのページの画像データを送信する。アプリケーションサーバー３００は、こうして、非接触ＩＣ媒体１０を保有するユーザーの携帯端末装置２０にＷｅｂサイトのページを表示させることができる。
【００３５】
（携帯端末装置）
携帯端末装置２０は、非接触ＩＣ媒体１０との間で近接無線通信が実行できるスマートフォン、タブレット型携帯端末、パーソナルコンピュータ、リーダ／ライタ端末等の、リーダ／ライタ２１を備えた各種電化製品等であり、制御手段２２と無線通信部２３と記憶手段２４と表示手段２５を有する。
【００３６】
携帯端末装置２０は、非接触ＩＣ媒体１０との間で１３．５６ＭＨｚの周波数のＮＦＣ規格の近接無線通信により、非接触ＩＣ媒体１０に記録されたデータを読み取るための近接無線通信用のリーダ／ライタ２１を内蔵する。
【００３７】
携帯端末装置２０は、非接触ＩＣ媒体１０に近接させてリーダ／ライタ２１を用いた近接無線通信を行うことで非接触ＩＣ媒体１０を認識し、また、非接触ＩＣ媒体１０からデータを受信する。
【００３８】
すなわち、携帯端末装置２０は、図１に示したような構成を有することで、非接触ＩＣ媒体１０との間で近接無線通信を実行し、非接触ＩＣ媒体１０から取得した情報をアプリケーションサーバー３００に送信することが出来る。そして携帯端末装置２０は、アプリケーションサーバー３００から返信される情報に基づいた、アプリケーションプログラムの起動の制御が可能になる。
【００３９】
（スマートポスター）
携帯端末装置２０は、例えば、スマートポスター処理を行う。すなわち、携帯端末装置２０のユーザーが、掲示されたポスターに埋め込んで添付された非接触ＩＣ媒体１０に携帯端末装置２０をかざすことで、携帯端末装置２０が、以下のようにして非接触ＩＣ媒体１０の指定するアプリケーションプログラムを実行する。
【００４０】
先ず、携帯端末装置２０は、非接触ＩＣ媒体１０にかざされることで、非接触ＩＣ媒体１０が記憶しているデータを読み取る。
【００４１】
携帯端末装置２０は、非接触ＩＣ媒体１０が記憶しているデータから、アクセスすべきアプリケーションサーバー３００のウェブサイトのページを指定し、そのアプリケーションサーバー３００にアクセスするとともにＷｅｂサイト表示プログラムを起動する。次に、アプリケーションサーバー３００が、携帯端末装置２０に指定したウェブサイトのページのデータを送信する。
【００４２】
携帯端末装置２０は、Ｗｅｂサイト表示プログラムにより、アプリケーションサーバー３００から受信したウェブサイトのページのデータを携帯端末装置２０の表示手段２５の
画面に表示する。
【００４３】
こうして、携帯端末装置２０のユーザーが、ポスターに埋め込んだ非接触ＩＣ媒体１０に携帯端末装置２０をかざすことで、その非接触ＩＣ媒体１０に関係するアプリケーションサーバー３００から様々なサービスを受け取ることが出来るようになる。
【００４４】
また、携帯端末装置２０が、非接触ＩＣ媒体１０から取得したデータに応じて地図を表示したり、電子メールを送受信する動作を行うこともできる。
【００４５】
（アプリケーションサーバーへのログイン処理）
ユーザーの携帯端末装置２０は、非接触ＩＣ媒体１０から近接無線通信を介して受信したデータを用いて、通信ネットワーク１００を介してアプリケーションサーバー３００のＷｅｂサイトにログインして所定のサービスを受けることができる。
【００４６】
例えば、ユーザーの携帯端末装置２０が、近接無線通信を介して非接触ＩＣ媒体１０からデータを受信することで、そのデータを利用してアプリケーションサーバー３００を介して所定のＳＮＳへログイン処理を行うことができる。
【００４７】
また、その他に、携帯端末装置２０が、非接触ＩＣ媒体１０に登録したデータにリンクしたアプリケーションサーバー３００にアクセスすることで、ゲーム用のアプリケーションプログラム等の所定のアプリケーションプログラムを取得したり、電子書籍の読み込みを行う等のサービスをアプリケーションサーバー３００から受けられるようにすることができる。
【００４８】
（非接触ＩＣ媒体）
非接触ＩＣ媒体１０は、ＩＣカードや、店舗や街角に配布されるポスターに埋め込んだＲＦＩＤタグ等のＩＣタグの様な様々な形態で提供される。
【００４９】
図２は本発明の実施形態の非接触ＩＣ媒体１０の構成を示すブロック図である。非接触ＩＣ媒体１０は、携帯端末装置２０との間で、ＮＦＣ規格の近接無線通信によってデータ、メッセージ等を交換する為の近接無線通信インターフェース部１１と、マイクロプロセッサ等の制御手段１２と、揮発性メモリＲＡＭと、リードオンリメモリＲＯＭやＥＥＰＲＯＭ(Electrically Erasable and Programmable ROM)、フラッシュメモリ等の不揮発性記憶手段群から成る不揮発性記憶手段１３とを備えている。
【００５０】
非接触ＩＣ媒体１０は、その記憶手段に記憶されたプログラムを制御手段１２が実行することで、セキュア通信処理や外部機器との相互認証処理やその他のアプリケーションプログラムを実行する。
【００５１】
（非接触ＩＣ媒体のデータ構造）
図２のように、本発明の非接触ＩＣ媒体１０は、その不揮発性記憶手段１３に、ＤＦ(専用ファイル)の下に、ＥＦ(基礎ファイル)として、個別アクセス情報記憶領域とＮＤＥＦレコードを記憶する。
【００５２】
ＤＦ(専用ファイル)の下の他のＥＦ(基礎ファイル)として記憶するＮＤＥＦ（ＮＦＣＦｏｒｕｍＤａｔａＥｘｃｈａｎｇｅＦｏｒｍａｔ）で規定したＮＤＥＦレコードの集合はＮＤＥＦメッセージを構成する。また、その非接触ＩＣ媒体１０が従うＮＤＥＦ規格のタイプによって、ＮＤＥＦ＿ＣＣファイル等のＥＦ(基礎ファイル)を記憶することもできる。
【００５３】
本発明の実施形態では、ＮＤＥＦレコードに、ユーザーに依存してデータが大きく変わる事が無い共通アクセス情報を記憶し、個別アクセス情報記憶領域に、ユーザーに依存して大きく変わる個別アクセス情報を記憶する。
【００５４】
（ＮＤＥＦレコード）
ユーザーに依存してデータが大きく変わる事が無い共通アクセス情報を、ＮＤＥＦレコードで記述する。ＮＤＥＦレコードに、非接触ＩＣ媒体１０のＩＣチップを特定するＩＣチップコードや、非接触ＩＣ媒体１０のＩＤを記憶する。また、ＮＤＥＦレコードに、非接触ＩＣ媒体１０を製造したベンダ名や、非接触ＩＣ媒体１０の提供するサービスの種別（例えばスマートポスターである旨等）の情報を記憶する。
【００５５】
その他のＮＤＥＦレコードが記憶する共通アクセス情報として、非接触ＩＣ媒体１０の発行を依頼したユーザー情報や、非接触ＩＣ媒体１０が再発行品か新規発行品か等の情報を含む非接触ＩＣ媒体状態情報等を記憶することができる。
【００５６】
また、ユーザーに依存しては変わらない共通アクセス情報として、携帯端末装置が非接触ＩＣ媒体からＮＦＣ規格の近接無線通信で読取ったデータを利用してBluetooth（登録商標）やWi-Fiを利用することができるようにする初期設定を自動的に実行するハンドオーバ処理のためのデータをＮＤＥＦレコードで記憶させることもできる。
【００５７】
（個別アクセス情報に係わるＮＤＥＦレコードのデータ構造）
図３（ａ）に、非接触ＩＣ媒体１０が記憶する個別アクセス情報に係わるＮＤＥＦレコードのデータ構造を示す。ＮＤＥＦレコードの一番目のバイトのビットフィールドは、ＭＢ（Message Begin）フィールド、ＭＥ（Message End）フィールド、ＣＦ（Chunk Flag）フィールド、ＳＲ（Short Record）フィールド、ＩＬ（ＩＤ＿ＬＥＮＧＴＨ）フィールド、及びＴＮＦ（Type Name Format）フィールドである。
【００５８】
ＮＤＥＦレコードの２番目のバイトは、タイプフィールドのデータの長さを表すデータ、３番目のバイト以降のデータ領域には、ペイロードのデータ長さを記録するデータが格納され、次に、非接触ＩＣ媒体１０のＩＤのデータ長さを記録するデータＩＤ＿ＬＥＮＧＴＨが格納される。
【００５９】
ここで、ペイロードのデータ長さを記録するデータ部分には、非接触ＩＣ媒体１０の個別アクセス情報記憶領域の記憶アドレスを記録したデータ本体（ペイロード）のデータ長さを記録する。
【００６０】
次に、ＴＹＰＥデータが格納される。ＴＹＰＥデータは、ＮＤＥＦレコードのタイプを表すデータであり、ＴＮＦの値によって内容の解釈が変わる。ＴＮＦが０Ｘ０１（ＮＦＣ＿Ｆｏｒｕｍ＿ｗｅｌｌ−ｋｎｏｗｎ−ｔｙｐｅ）だった場合は、ＴＹＰＥデータによってＮＤＥＦレコードがテキストを表すレコードか、ＵＲＩ（Ｕｎｉｆｏｒｍ  Ｒｅｓｏｕｒｃｅ  Ｉｄｅｎｔｉｆｉｅｒ）を表すレコードか、スマートポスターを表すレコードか、等のレコードの種別を示す。なお、ＵＲＩは、ＵＲＬ（Uniform Resource Locator）すなわちＷｅｂサイトのアドレス、又は、ＵＲＮ（Uniform Resource Name）である。
【００６１】
次に、非接触ＩＣ媒体１０のＩＤのデータが格納され、そして、最後に、データ本体であるＰＡＹＬＯＡＤ（ペイロード）のデータが格納される。このペイロード部分には、非接触ＩＣ媒体１０の個別アクセス情報記憶領域の記憶アドレスを記憶する。
【００６２】
（個別アクセス情報記憶領域）
本発明の個別アクセス情報記憶領域の記憶アドレスは、非接触ＩＣ媒体１０が記憶する
ＮＤＥＦレコードの多少に関わらず固定した記憶アドレスにする。そして、その個別アクセス情報記憶領域に個別アクセス情報を記憶する。
【００６３】
図３（ｂ）に、非接触ＩＣ媒体１０が記憶する個別アクセス情報を記憶する個別アクセス情報記憶領域のデータ構造を示す。個別アクセス情報記憶領域の先頭のデータ領域（ヘッダ部分）には、データ本体であるペイロードのデータ長さを記録するデータを格納し、個別アクセス情報記憶領域のデータ本体（ペイロード）に、個別アクセス情報のデータを記憶する。
【００６４】
そうすることで、個別アクセス情報記憶領域が、データの大きさが可変な種々の個別アクセス情報のデータを記憶することができる効果がある。
【００６５】
この個別アクセス情報記憶領域が記憶する個別アクセス情報に、携帯端末装置２０がアクセスすべきサーバの情報や、携帯端末装置２０がサーバへ送信するパラメータを含ませることができる。
【００６６】
（変形例１）
図４の変形例１のように、非接触ＩＣ媒体１０のデータ構造を構成することができる。すなわち、変形例１では、ＩＣ媒体１０は不揮発性記憶手段１３のデータ構造として、ＤＦ(専用ファイル)の下のＥＦ(基礎ファイル)に共通アクセス情報を記憶する。そのＥＦの記憶領域を共通アクセス情報記憶領域とする。そして、そのＥＦとは異なる記憶領域を個別アクセス情報記憶領域として、その個別アクセス情報記憶領域のＥＦに個別アクセス情報を記憶する。
【００６７】
その個別アクセス情報記憶領域の記憶アドレスを記録した特別な共通アクセス情報（ＮＤＥＦレコード）は作成しない。また、共通アクセス情報を記憶するＥＦ(基礎ファイル)は、必ずしもＮＤＥＦレコードの規定に従わせる必要も無い。
【００６８】
個別アクセス情報記憶領域の記憶アドレスは、その他の共通アクセス情報の多少に関わらず固定した記憶アドレスにすることで、個別アクセス情報記憶領域は固定アドレスから読み出せるようにする。そうすることで、個別アクセス情報記憶領域の記憶アドレスを記録した特別な共通アクセス情報を用いずとも、その非接触ＩＣ媒体１０の個別アクセス情報記憶領域を読み出して個別アクセス情報を利用することができる効果がある。
【００６９】
個別アクセス情報記憶領域に記憶する個別アクセス情報の例として、ユーザーのＩＤパラメータ情報を個別アクセス情報として個別アクセス情報記憶領域のＥＦ(基礎ファイル)に記憶させることができる。
【００７０】
本実施形態は、このように、非接触ＩＣ媒体１０には、ユーザーに依存しては変わらない共通アクセス情報をＮＤＥＦレコードにして記憶し、データの大きさがランダムに変わる個別アクセス情報を、非接触ＩＣ媒体１０の個別アクセス情報記憶領域に記憶させる。
【００７１】
すなわち、ユーザーに依存して大きく変わるデータは非接触ＩＣ媒体１０の個別アクセス情報記憶領域のみに記憶されている。それゆえ、非接触ＩＣ媒体１０を発行してユーザーにサービスを提供するアプリケーションサーバー３００は、個別アクセス情報の個別アクセス情報記憶領域のみのデータの変更状態を管理するだけで良い。
【００７２】
そのため、アプリケーションサーバー３００が非接触ＩＣ媒体１０の発行時点でのデータとチェック時点でのデータの違いをチェック管理する為のデータの差分データが少なくなり、データのチェック管理の処理時間を少なくできる効果がある。
【００７３】
また、非接触ＩＣ媒体１０において個別アクセス情報記憶領域に記録した個別アクセス情報のデータは、ＮＤＥＦレコード専用のデータ読み取り用アプリケーションプログラムが無くても読み取ることができる効果がある。
【００７４】
そのため、この非接触ＩＣ媒体１０に対して、ＮＤＥＦレコードの規格に対応していない旧来のデータ読み取り用アプリケーションプログラムでも、個別アクセス情報記憶領域に記録した個別アクセス情報のデータを読み取ることができる効果がある。これにより、従来必要だった、個別アクセス情報のデータの重複記憶を不要にでき、非接触ＩＣ媒体１０の記憶領域の無駄使いを無くすことができる効果がある。
【００７５】
（携帯端末装置による個別アクセス情報の読み出しと動作）
携帯端末装置２０は、携帯端末装置２０が予め記憶しているＮＤＥＦレコードを読み取るアプリケーションプログラムを動作させて非接触ＩＣ媒体１０が記憶しているＮＤＥＦレコードを読み取り、更に個別アクセス情報記憶領域を読み取るか、あるいは、非接触ＩＣ媒体１０の個別アクセス情報記憶領域を直接に読み込む他のアプリケーションプログラムを動作させて非接触ＩＣ媒体１０が記憶している個別アクセス情報記憶領域を読み取る。
【００７６】
そして、携帯端末装置２０は、非接触ＩＣ媒体１０の個別アクセス情報記憶領域のデータ本体（ペイロード）に記憶されている個別アクセス情報を読み込んだら、その個別アクセス情報が含むプログラムに従って、例えば、アプリケーションサーバーヘアクセスする処理等を実行する。
【００７７】
携帯端末装置２０が非接触ＩＣ媒体１０のＮＤＥＦレコードを読み取るアプリケーションプログラムを保有している場合は、携帯端末装置２０は非接触ＩＣ媒体１０のＮＤＥＦ領域に記録されている、個別アクセス情報の個別アクセス情報記憶領域の記憶アドレスを読み込む。
【００７８】
次に、携帯端末装置２０は、非接触ＩＣ媒体１０のその記憶アドレスに記憶されている個別アクセス情報記憶領域を読み出す。次に、そのデータ本体（ペイロード）から、アクセスすべきアプリケーションサーバーのＷｅｂサイトのアドレスを読み出す。そして、そのＷｅｂサイトのアドレスにアクセスするアプリケーションプログラムを起動する。
【００７９】
携帯端末装置２０が非接触ＩＣ媒体１０のＮＤＥＦレコードを読み取るアプリケーションプログラムを保有していない場合は、非接触ＩＣ媒体１０の個別アクセス情報記憶領域を直接に読み込む他のアプリケーションプログラムを動作させて非接触ＩＣ媒体１０が記憶している個別アクセス情報記憶領域を読み出す。
【００８０】
次に、その個別アクセス情報記憶領域から、アクセスすべきアプリケーションサーバーのＷｅｂサイトのアドレスを読み出す。そして、そのＷｅｂサイトのアドレスにアクセスするアプリケーションプログラムを起動する。
【００８１】
このように、本発明の非接触ＩＣ媒体１０は、ＮＤＥＦレコードを読み取るアプリケーションプログラムを持たない携帯端末装置２０によっても、個別アクセス情報記憶領域を読み取ることができ、携帯端末装置２０が必要な処理を実行することができる効果がある。
【００８２】
＜第１の実施形態＞
以下では、本発明のデータ構造を有する非接触ＩＣ媒体１０としてＩＣカードを用いる
場合である第１の実施形態を説明する。第１の実施形態は、アプリケーションサーバー３００が提供するサービスのＷｅｂページにユーザーがログインしてサービスを利用する手続きを非接触ＩＣ媒体１０を用いて簡易に行えるようにする。
【００８３】
そのために、アプリケーションサーバー３００が非接触ＩＣ媒体１０（本実施形態ではＩＣカード）の発行を指令し、その非接触ＩＣ媒体１０を利用してユーザーにアプリケーションサーバー３００が提供するサービスを利用させる。
【００８４】
（非接触ＩＣ媒体の登録処理と読み取り利用処理）
図５と図６は、非接触ＩＣ媒体１０の登録処理を示すフローチャートである。図７から図９は、非接触ＩＣ媒体１０のデータを読み取って利用する処理を示す流れ図である。
【００８５】
（非接触ＩＣ媒体の登録処理）
以下、図５と図６を参照して、本実施形態の非接触ＩＣ媒体１０の登録処理について説明する。非接触ＩＣ媒体１０の登録処理においては、以下の様にサービス提供者が、アプリケーションサーバー３００にアクセスし、ユーザーからの非接触ＩＣ媒体１０の発行依頼に従って、アプリケーションサーバー３００にユーザーを登録する。
【００８６】
（共通アクセス情報の登録）
（ステップＳ１０１）
先ず、サービス提供者は、アプリケーションサーバー３００に、共通アクセス情報の登録指令を送信する。
【００８７】
（ステップＳ１０２）
アプリケーションサーバー３００は、サービス提供者からの指令に従って、非接触ＩＣ媒体１０（ＩＣカード）に記憶させるＮＤＥＦレコードに記録する共通アクセス情報を作成する。共通アクセス情報は、先ず、ＮＤＥＦレコードの１番目のバイトのデータと、ＮＤＥＦレコードの２番目のバイトの、タイプフィールドのデータの長さを表すデータを含む。
【００８８】
共通アクセス情報を記憶するＮＤＥＦレコードは、更に、個別アクセス情報を記憶した非接触ＩＣ媒体１０の個別アクセス情報記憶領域の記憶アドレスを記憶するデータ本体部分であるペイロードのデータ長さを表すデータを含み、非接触ＩＣ媒体１０のＩＤのデータの長さを表すデータ（ＩＤ＿ＬＥＮＧＴＨ）を含む。
【００８９】
また、共通アクセス情報を記憶するＮＤＥＦレコードは、ＮＤＥＦレコードがスマートポスター用のレコードであるか等の種別を指定するＴＹＰＥデータを含み、また、非接触ＩＣ媒体１０のＩＤのデータを含む。そして、共通アクセス情報を記憶するＮＤＥＦレコードのデータ本体であるペイロードのデータには、非接触ＩＣ媒体１０の個別アクセス情報を記憶した個別アクセス情報記憶領域の記憶アドレスのデータを含む。
【００９０】
（ステップＳ１０３）
アプリケーションサーバー３００は、サービス提供者に、共通アクセス情報の登録完了通知を送信する。
【００９１】
（ステップＳ１０４）非接触ＩＣ媒体の発行依頼処理
ユーザーは、個人情報（例えば、氏名、住所、電話番号、生年月日など）および希望するアプリケーションに関する情報（例えば、種別、アプリケーション名、など）のデータを添えて、サービス提供者に非接触ＩＣ媒体１０の発行依頼と利用の申し込みを行う。
【００９２】
（ステップＳ１０５）ユーザー情報登録依頼指令
サービス提供者は、ユーザーからの非接触ＩＣ媒体１０の発行依頼に関る情報をもとに、アプリケーションサーバー３００に対して、非接触ＩＣ媒体１０のユーザー情報の登録を依頼する指令を送信する。
【００９３】
（ステップＳ１０６）
アプリケーションサーバー３００は、サービス提供者からのユーザー情報の登録依頼指令に従ってユーザー情報を登録する。アプリケーションサーバー３００が登録するユーザー情報は、例えば、ユーザーを特定するユーザーコード、住所、氏名、電話番号、生年月日、あるいは暗証番号、及び、サービスの申込みの種別などの情報である。
【００９４】
（ステップＳ１０７）個別アクセス情報発行処理
アプリケーションサーバー３００は、ユーザーの申し込んだサービスの種別に応じて選んだ、所定のアプリケーションプログラム等のデータを含む個別アクセス情報を作成する。
【００９５】
個別アクセス情報には、ユーザー情報のうち秘匿性の低い情報を個別アクセス情報に含ませることができる。例えば、ユーザーコード等のユーザー用のＩＤパラメータと、非接触ＩＣ媒体１０に結び付けたいサービスの情報（例えばサービスＩＤ）等のデータを個別アクセス情報に含ませることができる。
【００９６】
（ステップＳ１０８）
アプリケーションサーバー３００は、サービス提供者に、個別アクセス情報の登録完了通知を送信する。
【００９７】
（ステップＳ１０９）非接触ＩＣ媒体の発行指令
サービス提供者は、非接触ＩＣ媒体発行装置２００に非接触ＩＣ媒体１０の発行指令を、ユーザー情報と一緒に送信する。
【００９８】
（ステップＳ１１０）
非接触ＩＣ媒体発行装置２００は、保有している非接触ＩＣ媒体１０に、非接触ＩＣ媒体１０の状態の確認指令を送信する。
【００９９】
（ステップＳ１１１）
非接触ＩＣ媒体１０は、非接触ＩＣ媒体発行装置２００に非接触ＩＣ媒体状態情報（カード状態）を返信する。
【０１００】
非接触ＩＣ媒体状態情報には、発行される非接触ＩＣ媒体１０が指定されたサービスに関して再発行された非接触ＩＣ媒体１０であるか新規発行された非接触ＩＣ媒体１０であるか等の発行の状態の情報を含ませることができる。
【０１０１】
（ステップＳ１１２）
次に、非接触ＩＣ媒体発行装置２００は、非接触ＩＣ媒体状態情報とユーザー情報をアプリケーションサーバー３００に送信して、アプリケーションサーバー３００に、そのユーザー用の非接触ＩＣ媒体１０の発行に関わるＮＤＥＦレコードと個別アクセス情報のデータを請求する。
【０１０２】
（ステップＳ１１３）
アプリケーションサーバー３００は、アプリケーションサーバー３００に登録されたユーザー情報の中から、非接触ＩＣ媒体発行装置２００から要求されたユーザーに関わるＮＤＥＦレコードと個別アクセス情報を検索する。
【０１０３】
（ステップＳ１１４）
次に、アプリケーションサーバー３００は、非接触ＩＣ媒体発行装置２００が要求した、共通アクセス情報のＮＤＥＦレコードと個別アクセス情報とを非接触ＩＣ媒体発行装置２００に返信する。
【０１０４】
ここでアプリケーションサーバー３００が登録するユーザー情報には、非接触ＩＣ媒体状態情報と、非接触ＩＣ媒体１０のＩＣチップを特定するＩＣチップコードや非接触ＩＣ媒体１０のＩＤ、非接触ＩＣ媒体１０を製造したベンダ名、非接触ＩＣ媒体１０の発行を依頼したユーザー情報、その他に、発行を依頼したユーザーの他に非接触ＩＣ媒体１０の利用が許可されたユーザー情報等を含ませることができる。
【０１０５】
（ステップＳ１１５）
非接触ＩＣ媒体発行装置２００は、リーダ／ライタ２１０を介して非接触ＩＣ媒体１０に、共通アクセス情報を記憶するＮＤＥＦレコードと、その書き込み指令を送信する。その指令を受けた非接触ＩＣ媒体１０の制御手段１２は、共通アクセス情報を含むＮＤＥＦレコードを非接触ＩＣ媒体１０の記憶手段に書き込む。
【０１０６】
（ステップＳ１１６）
共通アクセス情報を含むＮＤＥＦレコードを正常に記憶手段に読み込んだ非接触ＩＣ媒体１０は、正常終了通知を非接触ＩＣ媒体発行装置２００に返信する。
【０１０７】
（ステップＳ１１７）
非接触ＩＣ媒体発行装置２００は、リーダ／ライタ２１０を介して非接触ＩＣ媒体１０に、個別アクセス情報を記憶する個別アクセス情報記憶領域と、その書き込み指令を送信する。その指令を受けた非接触ＩＣ媒体１０の制御手段１２は、個別アクセス情報を記憶する個別アクセス情報記憶領域のデータを非接触ＩＣ媒体１０の記憶手段に書き込む。
【０１０８】
（ステップＳ１１８）
個別アクセス情報を正常に記憶手段に読み込んだ非接触ＩＣ媒体１０は、正常終了通知を非接触ＩＣ媒体発行装置２００に返信する。
【０１０９】
（ステップＳ１１９）
非接触ＩＣ媒体発行装置２００は、リーダ／ライタ２１０を介して非接触ＩＣ媒体１０に、非接触ＩＣ媒体１０の発行処理の終了指令を送信する。こうして、非接触ＩＣ媒体発行装置２００が、アプリケーションサーバー３００に登録された共通アクセス情報を含むＮＤＥＦレコードと個別アクセス情報のデータの書き込んだ非接触ＩＣ媒体１０を発行する。
【０１１０】
（ステップＳ１２０）
非接触ＩＣ媒体発行装置２００が発行した非接触ＩＣ媒体１０は、サービス提供者を通じて非接触ＩＣ媒体１０のユーザーに発送する。
【０１１１】
なお、非接触ＩＣ媒体１０の発送先は、非接触ＩＣ媒体１０の発行を指示したユーザーとは異なるユーザーに発送することもできる。例えば、非接触ＩＣ媒体の発行を依頼したユーザーが、非接触ＩＣ媒体１０を葉書に埋め込んで、その葉書を、その非接触ＩＣ媒体を利用させたい他のユーザーに送付するように手配して発送させるようにすることもできる。
【０１１２】
（非接触ＩＣ媒体のデータの読み取り利用手順）
アプリケーションサーバー３００に登録された非接触ＩＣ媒体１０を持つユーザーは、以下の様にして、携帯端末装置２０から近接無線通信を介して非接触ＩＣ媒体のデータを読み取る。
【０１１３】
そして、そのデータを用いて通信ネットワーク１００を介してアプリケーションサーバー３００のＷｅｂページにログインしてサービスを受けることができる。すなわち、Ｗｅｂページの特定ページ（個別ＩＤ毎のページ）にアクセスすることができる。
【０１１４】
以下、図７から図９を参照して、本実施形態の非接触ＩＣ媒体のデータを読み取って利用する手順を説明する。
【０１１５】
（ステップＳ２０１）
アプリケーションサーバー３００に登録された非接触ＩＣ媒体１０を持つユーザーは、先ず、そのユーザーが用いる携帯端末装置２０の専用アプリケーションプログラムを起動する。この専用アプリケーションプログラムは、そのユーザーが予めアプリケーションサーバー３００から取得しておく。
【０１１６】
また、この専用アプリケーションプログラムとして、一般的に利用されているＷｅｂ閲覧プログラムを用いることも可能である。
【０１１７】
（ステップＳ２０２）
ユーザーに起動された携帯端末装置２０の専用アプリケーションプログラムは、先ず、アプリケーションサーバー３００にアクセス依頼信号を送信する。
【０１１８】
（ステップＳ２０３）
アプリケーションサーバー３００は、ユーザーの携帯端末装置２０に対して、アクセス許可通知を返信する。
【０１１９】
（ステップＳ２０４）
携帯端末装置２０は、アプリケーションサーバー３００に、アプリケーションサーバー３００が発行した共通アクセス情報のＮＤＥＦレコードのリストを請求する。
【０１２０】
（共通アクセス情報のＮＤＥＦレコードのリスト）
このリストは、前記共通アクセス情報のＮＤＥＦレコードと、このデータに記載される事で紐付けられた個別アクセス情報記憶領域の記憶アドレスをもっている。
【０１２１】
（ステップＳ２０５）
アプリケーションサーバー３００は、携帯端末装置２０に対して、共通アクセス情報のＮＤＥＦレコードのリストを返信する。
【０１２２】
（ステップＳ２０６）
携帯端末装置２０は、アプリケーションサーバー３００から受信した、共通アクセス情報のＮＤＥＦレコードのリストを更新し記憶する。
【０１２３】
（変形例２）
以上のステップＳ２０１からＳ２０６の処理の変形例２として、以下の様に処理することもできる。先ず、登録された非接触ＩＣ媒体１０を保有するユーザーが、その非接触ＩＣ媒体１０が保有する、アプリケーションサーバー３００へのログイン用のパスワード等のデータを、携帯端末装置２０を介してアプリケーションサーバー３００に送信する。
【０１２４】
それにより、アプリケーションサーバー３００が非接触ＩＣ媒体１０を認証した上で、以上のステップＳ２０５とＳ２０６の処理を行うようにすることもできる。
【０１２５】
（ステップＳ２０７）
携帯端末装置２０は、その表示手段２５の画面に、専用アプリケーションプログラムのアプリケーションサーバー３００とのリンクの完了メッセージを表示してユーザーに次の指示を要求する。
【０１２６】
（ステップＳ２０８）
ユーザーは、非接触ＩＣ媒体１０を携帯端末装置２０に近接させて、近接無線通信によって、携帯端末装置２０のリーダ／ライタに非接触ＩＣ媒体１０のデータを読み込ませる。
【０１２７】
携帯端末装置２０は、近接した非接触ＩＣ媒体１０に、非接触ＩＣ媒体１０のＩＤの返信指令を送信する。非接触ＩＣ媒体１０はその指令に従い、ＩＤを携帯端末装置２０に返信する。
【０１２８】
（ステップＳ２０９）
次に、携帯端末装置２０は、非接触ＩＣ媒体１０に、共通アクセス情報のＮＤＥＦレコードの読出し指令を送信する。
【０１２９】
（ステップＳ２１０）
非接触ＩＣ媒体１０は、共通アクセス情報のＮＤＥＦレコードの読出し指令に従って、近接無線通信によって共通アクセス情報のＮＤＥＦレコードのデータを携帯端末装置２０に送信する。
【０１３０】
（ステップＳ２１１）
携帯端末装置２０は、非接触ＩＣ媒体１０から受信した共通アクセス情報のＮＤＥＦレコードを、アプリケーションサーバー３００から受信した、共通アクセス情報のＮＤＥＦレコードのリストと照合する。
【０１３１】
照合の結果、受信したＮＤＥＦレコードが共通アクセス情報のＮＤＥＦレコードのリストに一致しなければ、その非接触ＩＣ媒体１０はアプリケーションサーバー３００に登録された非接触ＩＣ媒体１０では無いと判定し、表示手段２５の画面に、非接触ＩＣ媒体１０が誤っている旨のメッセージを表示し、正しい非接触ＩＣ媒体１０を使うようにユーザーに要求する。
【０１３２】
一方、照合の結果、非接触ＩＣ媒体１０から受信したＮＤＥＦレコードが、アプリケーションサーバー３００から受信した共通アクセス情報のリストに一致した場合は次のステップＳ２１２に進む。
【０１３３】
（ステップＳ２１２）
ステップＳ２０４で形成した、共通アクセス情報のＮＤＥＦレコードのリストには、共通アクセス情報のＮＤＥＦレコードと、このデータに記載される事で紐付けられた個別アクセス情報記憶領域の記憶アドレスが記録されている。
【０１３４】
携帯端末装置２０は、ステップＳ２０４で形成したこの共通アクセス情報のＮＤＥＦレコードのリストから、非接触ＩＣ媒体１０における、共通アクセス情報のＮＤＥＦレコードに紐付いた個別アクセス情報のデータが記憶されている個別アクセス情報記憶領域の記
憶アドレスを取得する。
【０１３５】
（変形例３）
変形例３として、ステップＳ２１２の処理において、アプリケーションサーバー３００から通信ネットワーク１００を介して、非接触ＩＣ媒体１０における個別アクセス情報記憶領域の記憶アドレスを取得するようにすることも可能である。
【０１３６】
こうして、ステップＳ２１２における記憶アドレス取得処理では、共通アクセス情報のＮＤＥＦレコードを読み取って、そのデータに記載される事で紐付けられた個別アクセス情報記憶領域の記憶アドレスを取得する。
【０１３７】
（変形例４）
この変形例４として、先の変形例１で、アプリケーションサーバー３００用の専用アプリケーションプログラムにその個別アクセス情報記憶領域の記憶アドレスを組込んでおき、そのアドレスの個別アクセス情報記憶領域を読むようにすることもできる。
【０１３８】
（ステップＳ２１３）
携帯端末装置２０は、近接無線通信を介して、非接触ＩＣ媒体１０に対し、個別アクセス情報のデータが記憶されている記憶手段の記憶アドレスを指定して個別アクセス情報のデータを読み出す指令を送信する。
【０１３９】
（ステップＳ２１４）
非接触ＩＣ媒体１０は、携帯端末装置２０による個別アクセス情報のデータの読出し指令に従って、個別アクセス情報のデータを読み出して近接無線通信を介して携帯端末装置２０に送信する。
【０１４０】
（ステップＳ２１５）
携帯端末装置２０は、非接触ＩＣ媒体１０から読み取った共通アクセス情報のＮＤＥＦレコードのデータと個別アクセス情報のデータを連結処理する。
【０１４１】
（ステップＳ２１６）
携帯端末装置２０は、連結された共通アクセス情報のＮＤＥＦレコードと個別アクセス情報のデータが含む指令に従って、アプリケーションサーバー３００が提供するサービスのＷｅｂページにログインする。
【０１４２】
詳しくは、携帯端末装置２０は、個別アクセス情報に記録されているサーバのＷｅｂサイトのアドレスにアクセスし、個別アクセス情報に記録されているパラメータを送信してそのサーバの提供するサービスにログインする。
【０１４３】
（ステップＳ２１７）
そして、携帯端末装置２０は、ログインしたＷｅｂサイトのページの画面を表示手段２５に表示する。
【０１４４】
例えば、携帯端末装置２０が、アプリケーションサーバー３００の提供するソーシャル・ネットワーキング・サービス（ＳＮＳ）のＷｅｂページにログインしたり、オンラインゲームアプリケーションプログラムを実行できるＷｅｂページにログインしたり、電子書籍の読み込みを行うＷｅｂページにログインして、表示手段２５に表示する。
【０１４５】
（変形例５）
第１の実施形態の変形例５として、ポスターに埋め込まれた非接触ＩＣ媒体１０が記憶
しているデータを、ユーザーが携帯端末装置２０によって読み出して、その非接触ＩＣ媒体１０のデータが指定するＷｅｂサイトのページを読み取るスマートポスター処理を以下の様にして行うことができる。
【０１４６】
スマートポスター処理では、ユーザーの携帯端末装置２０は、スマートポスターに埋め込まれた非接触ＩＣ媒体１０から、個別アクセス情報を記憶した個別アクセス情報記憶領域のデータを、スマートポスター用の専用アプリケーションプログラムを用いて読み取る。
【０１４７】
そして、携帯端末装置２０は、個別アクセス情報記憶領域に記録した個別アクセス情報からスマートポスター用のＷｅｂサイトのページのアドレスを抽出し、そのＷｅｂサイトのページの画面を携帯端末装置２０の表示手段２５に表示する。
【０１４８】
こうして、本発明によれば、ユーザーが非接触ＩＣ媒体１０に携帯端末装置２０をかざして、近接無線通信により非接触ＩＣ媒体１０からデータを読み出すことで、アクセスすべきＷｅｂサイトのページのアドレスを取得し、そのＷｅｂサイトのページにアクセスしてアプリケーションサーバー３００から様々のサービスを受けることが出来る。
【符号の説明】
【０１４９】
１０・・・非接触ＩＣ媒体
１１・・・近接無線通信インターフェース部
１２・・・制御手段
１３・・・不揮発性記憶手段
２０・・・携帯端末装置
２１・・・リーダ／ライタ
２２・・・制御手段
２３・・・無線通信部
２４・・・記憶手段
２５・・・表示手段
１００・・・通信ネットワーク
２００・・・非接触ＩＣ媒体発行装置
２１０・・・リーダ／ライタ
３００・・・アプリケーションサーバー
ＤＦ・・・専用ファイル
ＥＦ・・・基礎ファイル
【図１】
0006554884.tif 000002
【図２】
0006554884.tif 000003
【図３】
0006554884.tif 000004
【図４】
0006554884.tif 000005
【図５】
0006554884.tif 000006
【図６】
0006554884.tif 000007
【図７】
0006554884.tif 000008
【図８】
0006554884.tif 000009
【図９】
0006554884.tif 000010